(57)【要約】 【課題】  コンパクトで容易に使用することができ、臭いや汚れの残留を確実に防止することができるレンジフード用の排気流ガイド具を提供する。【解決手段】  ４つの側板１１〜１４が角筒状に連接されたダクト部材１０と、ダクト部材１０の一端側にフランジ状に設けられ、レンジフードに装着可能な装着部２０と、ダクト部材１０の他端側に設けられた錘部材３０とを備え、ダクト部材１０は、一の側板１１の他端側に切欠部１１ｃが形成され、装着部２０がレンジフードに装着された状態で、切欠部１１ｃを介して調理可能に構成されているレンジフード用の排気流ガイド具。【選択図】  図１
2012233645.tif 000002
【特許請求の範囲】
【請求項１】
４つの側板が角筒状に連接されたダクト部材と、
前記ダクト部材の一端側にフランジ状に設けられ、レンジフードに装着可能な装着部と、
前記ダクト部材の他端側に設けられた錘部材とを備え、
前記ダクト部材は、一の前記側板の他端側に切欠部が形成され、前記装着部がレンジフードに装着された状態で、前記切欠部を介して調理可能に構成されているレンジフード用の排気流ガイド具。
【請求項２】
前記切欠部を有する一の前記側板は、前記ダクト部材の一端側の開口形状を調整できるように、両側の他の前記側板とそれぞれ伸縮部を介して連接されている請求項１に記載のレンジフード用の排気流ガイド具。
【請求項３】
前記ダクト部材は、軸方向に折り畳み可能となるように蛇腹状に形成されている請求項１または２に記載のレンジフード用の排気流ガイド具。
【請求項４】
前記ダクト部材は、アルミニウム箔を含むシート材により構成されている請求項１から３のいずれかに記載のレンジフード用の排気流ガイド具。
【発明の詳細な説明】
【技術分野】
【０００１】
本発明は、レンジフード用の排気流ガイド具に関し、より詳しくは、加熱調理器の上方に設置されるレンジフードに装着して排気流を案内するレンジフード用の排気流ガイド具に関する。
【背景技術】
【０００２】
台所や厨房に設置されたガスコンロや電磁調理器などの加熱調理器の上方には、一般に、調理中に発生した蒸気や油煙などを空気と共に室外に排気するためのレンジフードが設けられている。ところが、レンジフードを単に設置するだけでは、加熱調理器の周辺に油が飛び散るのを十分に抑制することができず、食器や室内が汚れたり、臭いが染み付くおそれがある。このため、特許文献１には、加熱調理器とレンジフードとの間に形成される空間の三方を壁面とロールアップスクリーンにより遮断し、開かれた一方から調理者が調理できるようにしたキッチン換気設備が開示されている。
【先行技術文献】
【特許文献】
【０００３】
【特許文献１】特開２００６−２５８３４９号公報
【発明の概要】
【発明が解決しようとする課題】
【０００４】
上記特許文献１に開示されたキッチン換気設備は、蒸気や油などが加熱調理器の外部に拡散するのを抑制することができる一方で、壁やスクリーンに臭いが徐々に染み付いて蓄積されるおそれがあった。また、スクリーンへの油などの付着によって、ロールアップ収納されたスクリーンが巻き取り状態で接着してしまい、スクリーンの再引き出しが困難になるという問題もあった。
【０００５】
そこで、本発明は、コンパクトで容易に使用することができ、臭いや汚れの残留を確実に防止することができるレンジフード用の排気流ガイド具の提供を目的とする。
【課題を解決するための手段】
【０００６】
本発明の前記目的は、４つの側板が角筒状に連接されたダクト部材と、前記ダクト部材の一端側にフランジ状に設けられ、レンジフードに装着可能な装着部と、前記ダクト部材の他端側に設けられた錘部材とを備え、前記ダクト部材は、一の前記側板の他端側に切欠部が形成され、前記装着部がレンジフードに装着された状態で、前記切欠部を介して調理可能に構成されているレンジフード用の排気流ガイド具により達成される。
【０００７】
このレンジフード用の排気流ガイド具において、前記切欠部を有する一の前記側板は、前記ダクト部材の一端側の開口形状を調整できるように、両側の他の前記側板とそれぞれ伸縮部を介して連接されていることが好ましい。
【０００８】
また、前記ダクト部材は、軸方向に折り畳み可能となるように蛇腹状に形成可能である。
【０００９】
また、前記ダクト部材は、アルミニウム箔を含むシート材により構成されていることが好ましい。
【発明の効果】
【００１０】
本発明によれば、コンパクトで容易に使用することができ、臭いや汚れの残留を確実に防止することができるレンジフード用の排気流ガイド具を提供することができる。
【図面の簡単な説明】
【００１１】
【図１】本発明の一実施形態に係るレンジフード用の排気流ガイド具の斜視図である。
【図２】図１に示すレンジフード用の排気流ガイド具を折り畳んだ状態を示す図である。
【図３】図１に示すレンジフード用の排気流ガイド具の使用状態を示す図である。
【図４】本発明の他の実施形態に係るレンジフード用の排気流ガイド具の正面図であり、（ａ）は折り畳んだ状態、（ｂ）は引き延ばした状態を示している。
【図５】本発明の更に他の実施形態に係るレンジフード用の排気流ガイド具の（ａ）平面図および（ｂ）要部側面図である。
【発明を実施するための形態】
【００１２】
以下、本発明の実施の形態について、添付図面を参照して説明する。図１は、本発明の一実施形態に係るレンジフード用の排気流ガイド具の斜視図である。図１に示すように、排気流ガイド具１は、ダクト部材１０と、ダクト部材１０の上端側に設けられレンジフードに装着される装着部２０と、ダクト部材１０の下端側に設けられた錘部材３０とを備えている。
【００１３】
ダクト部材１０は、シート材を折り曲げて形成されており、前側板１１、右側板１２、後側板１３および左側板１４からなる４つの側板を角筒状に順次連接した形状を有している。側板の１つである前側板１１の下端側には切欠部１１ｃが形成されており、前側板１１の軸方向長さが、他の側板１２，１３，１４の軸方向長さよりも短くなっている。
【００１４】
装着部２０は、各側板１１〜１４の上端側に設けられたフラップ１１ａ，１２ａ，１３ａおよび１４ａを外側に折り曲げることによりフランジ状に形成されており、折り曲げにより上向きとなるフラップ１１ａ，１２ａ，１３ａおよび１４ａの内面側に、それぞれ接着部材２２が設けられている。接着部材２２は、本実施形態では帯状の粘着テープからなり、使用時の粘着力を損なわないように、粘着面が剥離紙で覆われている。接着部材２２は、レンジフードに接着可能なものであればよく、粘着テープ以外に、例えば、ゴム製のマグネットシートや、面ファスナー、吸盤などを使用することができる。また、接着部材２２を使用せずに、装着部２０をクリップ等の固定手段を用いてレンジフードに取り付けてもよい。
【００１５】
錘本体３０は、細長状に形成されており、各側板１１〜１４の下端側を折り返して袋状に形成された収容部１１ｂ，１２ｂ，１３ｂおよび１４ｂにそれぞれ収容されて、各側板１１〜１４の下縁部の略全体にわたって設けられている。錘本体３０は、レンジフードへの装着時に各側板１１〜１４が確実に垂下する程度の重量があればよく、例えば、金属、樹脂、木材、竹材などからなる板状体や棒状体などから形成することができる。
【００１６】
上記の構成を備える排気流ガイド具１は、図２に示すように、前側板１１および右側板１２の内面を、後側板１３および左側板１４の内面と密着するように偏平に折り畳むことにより、コンパクトに収納することができる。ダクト部材１０を構成するシート材が折り曲げ容易な材料からなる場合には、図２に示す状態から折り目以外の部分で更に折り畳んでもよい。排気流ガイド具１の使用時には、折り畳んだダクト部材１０を図１に示すように筒状に拡げて、フラップ１１ａ，１２ａ，１３ａおよび１４ａを外側に折り曲げて、装着部２０を構成する。そして、図３に示すように、台所や厨房の壁面Ｗに固定されたレンジフード５０の被装着部に装着部２０を取り付ける。レンジフード５０は、下方に向けて開口する吸込口が形成されており、装着部２０は、この吸込口を取り囲むように、レンジフード５０の下端部のなるべく平坦な部分に装着することが好ましい。
【００１７】
レンジフード５０の直下には、床面Ｆに固定された加熱調理器６０が設けられており、排気流ガイド具１の装着は、加熱調理器６０の使用の妨げとならないように、切欠部１１ｃが調理作業側（図３の左側）に位置するように行われる。ダクト部材１０は、レンジフード５０への装着時に、前側板１１以外の側板１２〜１４の下端が加熱調理器６０の上面と近接するように、軸方向長さが設定されることが好ましい。
【００１８】
本実施形態の排気流ガイド具１は、レンジフード５０に容易に装着して、加熱調理器６０の上方をダクト部材１０で覆うことができると共に、調理者は切欠部１１ｃを介して加熱調理器６０を使用した調理を行うことができる。ダクト部材１０の内部には、レンジフード５０の作動により、図３に破線で示すように排気流Ｅの流れが生じ、調理で発生した蒸気や油を排気流Ｅと共にレンジフード５０に確実に案内することができる。したがって、レンジフード５０の排気量が少ない場合（例えば、「弱」スイッチ）でも十分な換気を行うことができ、電力消費を抑制しつつ、油や蒸気の拡散を防止することができる。
【００１９】
また、排気流ガイド具１の使用後は、レンジフード５０から容易に取り外して、コンパクトに折り畳んで廃棄することができるので、清掃不要であると共に、油や臭いが室内に蓄積されるおそれがなく、快適な調理環境を維持することができる。
【００２０】
ダクト部材１０は、アルミニウム箔を含むシート材から構成することが好ましい。この構成によれば、レンジフード５０が照明具を備えている場合に、照明光をダクト部材１０の内部で反射させて加熱調理器６０の近傍に到達させることができるので、従来に比べて省電力化を図ることができる。アルミニウム箔を含むシート材としては、アルミニウム箔単体以外に、アルミニウムを樹脂シートにラミネートしたり蒸着したものを使用することができる。但し、ダクト部材１０を構成するシート材は、アルミニウム以外の金属箔や、アルミニウムを含まない難燃性の樹脂シート等であってもよい。
【００２１】
以上、本発明の一実施形態について詳述したが、本発明の具体的な態様は上記実施形態に限定されない。例えば、図４（ａ）に示すように、前側板１１、右側板１２、後側板１３および左側板１４を、それぞれ山部Ｍおよび谷部Ｖを有する蛇腹状に形成し、ダクト部材１０の軸方向に折り畳み可能に構成して、使用時に図４（ｂ）に示すように、ダクト部材１０を引き延ばして使用することができる。なお、図４において、図１と同様の構成部分には同一の符号を付して、詳細な説明を省略する（以下の図においても同様）。
【００２２】
図４に示す排気流ガイド具１によれば、収納および廃棄をコンパクトに行えるだけでなく、レンジフード５０から加熱調理器６０（図３参照）までの長さに応じて、ダクト部材１０の軸方向長さを蛇腹の伸縮量で調整することができる。また、レンジフード５０の下端部が傾斜している場合でも、この傾斜に応じて各側板１１〜１４の軸方向長さを蛇腹部分で個別に調整し、ダクト部材１０の下端部を加熱調理器６０の上面に沿うように設置することができる。したがって、排気流ガイド具１の汎用性を高めることができる。
【００２３】
図４に示す排気流ガイド具１は、折り畳みがダクト部材１０の軸方向に行われるため、装着部２０は、ダクト部材１０とは材質や厚み等が異なる枠状の部材を使用することができる。したがって、装着部２０の強度を高めてレンジフード５０への装着をより確実に行うことができる。また、前側板１１に設けられる錘部材３０は、両端が右側板１２および左側板１４よりも外方に張り出すように構成されることが好ましく、これによって、右側板１２および左側板１４の側縁部が前側板１１の錘部材３０に当接するため、ダクト部材１０の角筒形状を確実に維持することができる。前側板１１以外の他の側板１２〜１４に設けられる錘部材３０は、コ字状に折り曲げたものを使用して一体化することができる。
【００２４】
また、図５（ａ）に平面図で示し、図５（ｂ）に要部側面図で示すように、前側板１１と、右側板１２および左側板１４との間を、それぞれ伸縮部４０を介して連接した構成にすることもできる。伸縮部４０は、本実施形態では山部Ｍおよび谷部Ｖを有する蛇腹状に形成し、前後方向（Ｙ方向）に伸縮可能となるように構成しているが、ばねやゴム等の他の伸縮可能な部材を介在させて、伸縮可能に構成してもよい。
【００２５】
図５に示す排気流ガイド具１は、伸縮部４０の伸縮によって、前側板１１を他の側板１２，１４に対して、前後方向（Ｙ方向）に移動させることができると共に、左右方向（Ｘ方向）にも移動させることができるので、レンジフード５０の被装着部の形状に合わせて、ダクト部材１０の上端側の開口形状を調整することができる。したがって、排気流ガイド具１の汎用性をより高めることができる。また、伸縮部４０を蛇腹状に形成した場合には、図５（ｂ）に示すように、右側板１２（左側板１４についても同様）から前側板１１に向けて先細となるように形成することが好ましく、これによって伸縮部４０の強度を確保しつつ、前側板１１を他の側板１２，１４に対して上下方向（ｚ方向）にも容易に移動させることができ、レンジフード５０の被装着部が傾斜している等の場合にも容易に対応可能である。
【符号の説明】
【００２６】
１  排気流ガイド具
１０  ダクト部材
１１，１２，１３，１４  側板
１１ｃ  切欠部
２０  装着部
３０  錘部材
４０  伸縮部
【図１】
2012233645.tif 000003
【図２】
2012233645.tif 000004
【図３】
2012233645.tif 000005
【図４】
2012233645.tif 000006
【図５】
2012233645.tif 000007
【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
４つの側板が角筒状に連接されたダクト部材と、
前記ダクト部材の一端側にフランジ状に設けられ、レンジフードに装着可能な装着部と、
前記ダクト部材の他端側に設けられた錘部材とを備え、
前記ダクト部材は、一の前記側板の長さを両側の他の前記側板の長さよりも短くすることにより、一の前記側板の他端側に切欠部が形成され、前記装着部がレンジフードに装着された状態で、前記切欠部を介して調理可能に構成されており、
一の前記側板は、両側の他の前記側板とそれぞれ伸縮部を介して連接されており、一の前記側板を両側の他の前記側板に対して前後方向および左右方向に移動可能にして、前記ダクト部材の一端側の開口形状を調整できるように構成されているレンジフード用の排気流ガイド具。
【請求項２】
前記伸縮部は、蛇腹状に形成されており、両側の他の前記側板から一の前記側板に向けて先細となるように形成されている請求項１に記載のレンジフード用の排気流ガイド具。
【請求項３】
前記ダクト部材は、アルミニウム箔を含むシート材により構成されている請求項１または２に記載のレンジフード用の排気流ガイド具。
【手続補正２】
【補正対象書類名】明細書
【補正対象項目名】０００６
【補正方法】変更
【補正の内容】
【０００６】
本発明の前記目的は、４つの側板が角筒状に連接されたダクト部材と、前記ダクト部材の一端側にフランジ状に設けられ、レンジフードに装着可能な装着部と、前記ダクト部材の他端側に設けられた錘部材とを備え、前記ダクト部材は、一の前記側板の長さを両側の他の前記側板の長さよりも短くすることにより、一の前記側板の他端側に切欠部が形成され、前記装着部がレンジフードに装着された状態で、前記切欠部を介して調理可能に構成されており、一の前記側板は、両側の他の前記側板とそれぞれ伸縮部を介して連接されており、一の前記側板を両側の他の前記側板に対して前後方向および左右方向に移動可能にして、前記ダクト部材の一端側の開口形状を調整できるように構成されているレンジフード用の排気流ガイド具により達成される。
【手続補正３】
【補正対象書類名】明細書
【補正対象項目名】０００７
【補正方法】変更
【補正の内容】
【０００７】
このレンジフード用の排気流ガイド具において、前記伸縮部は、蛇腹状に形成されていることが好ましく、両側の他の前記側板から一の前記側板に向けて先細となるように形成されていることが好ましい。
【手続補正４】
【補正対象書類名】明細書
【補正対象項目名】０００８
【補正方法】削除
【補正の内容】